(57)【要約】【課題】従来の小型卓上紙折機に接続するだけで、簡単にダイレクトメール折りや十字折りができ、また、平行折りにも切り替えることが可能なクロス折機を提供する。【解決手段】小型卓上紙折機１で二つ折りされた用紙がクロス折機２に搬入されると、入紙ベルト２１、用紙送りベルト２２により用紙が用紙ストッパ２３の位置まで搬送され、用紙センサ２４が用紙を検知すると、折りナイフ２５が上昇し、折りローラ２６により１回目の折り目が付与された後、先端がバックル２７の内部に引き込まれる。そして、用紙の折り込まれた先端がバックル２７のストッパの位置で停止しても、折りロ−ラ２６が回転しているので、用紙３にはたるみが生じ、このたるみの部分が折りロ−ラ２６間に引き込まれ、２回目の折り目が付与された後、排紙ベルト２８で搬送され、排出トレイに集積される。【選択図】図１
2013071806.tif 000002
【特許請求の範囲】
【請求項１】
上下のベルトよりなる用紙搬送機構と、用紙の給紙を検知する検知素子と、ナイフ折り機構と、バックル折り機構、及び、上記の各機構を制御する制御部とを備え、上記検知素子が用紙の給紙を検知すると、上記制御部が、上記ナイフ折り機構の動作を制御することを特徴とするクロス折機。
【請求項２】
請求項１のクロス折機において、ナイフ折り機構が用紙ストッパとナイフと折りローラよりなるとともに、バックル折り機構がバックルと折りローラよりなり、上記用紙搬送機構により搬送される用紙がナイフ折り機構の用紙ストッパによって停止し、上記検知素子が用紙の給紙を検知すると、上記制御部が、上記ナイフ折り機構の折りナイフを突き上げて、用紙を折りローラに咬み込ませ十字に一回目の折りを形成した後、バックル内に搬送された用紙がバックルストッパによって停止され、用紙のタワミ部分が折りローラで咬み込まれて、三つ折りになるように２回目の折りが形成されることを特徴とするクロス折機。
【請求項３】
請求項１または請求項２のクロス折機において、上記バックルのバックルストッパの位置が変更可能であり、用紙の搬入位置を変更するとともに、上記バックルストッパを上記バックルの用紙入口位置に移動することにより、用紙を上記バックルに搬送せずに排出し、二つ折りだけの十字折りができることを特徴とするクロス折機。
【請求項４】
請求項１〜請求項３のいずれかのクロス折機において、上記ナイフ折り機構の用紙ストッパが解除でき、この用紙ストッパを解除することにより、ナイフ折りをせずにそのまま用紙を通過させて排出できることを特徴とするクロス折機。
【発明の詳細な説明】
【技術分野】
【０００１】
本発明は、従来の小型卓上紙折機に接続するだけで簡単にダイレクトメール折りや十字折りができ、また、平行折りにも切り替えが可能なクロス折機に関する。
【背景技術】
【０００２】
用紙折り機として、用紙を搬送する一連の搬送過程で、搬送方向と同方向に折り曲げ、ついで搬送方向と直角方向に折り曲げる折り曲げ部を配置した用紙折り機があり、この用紙折り機によれば、二つ折り、四つ折り、八つ折り等の折丁を作成することができる（例えば、特許文献１参照）。
【０００３】
ところで、事務用紙折機で、図８に示すようなダイレクトメール折り、すなわちクロス折りをしているところは、国内で官公庁・一般企業を問わず多い。このダイレクトメールは、個人や会社宛に商品案内やカタログなどの広告物を送付する宣伝手段のことである。広告物の代表的なものとして、新聞の折込チラシが挙げられるが、折込チラシに比べ、５０〜８０円かかるダイレクトメールはがき等の郵便物は割高と思われているが、開封率向上、ターゲットへの効率よい送付が可能といったメリットがあり、最近急激に増加している。
【０００４】
すなわち、新聞に折り込まれる大量の地域に対する広告ではなく、個人宛に届くということで付加価値が高められ、意識的に開封させることができ、また、近年、新聞の購読者数が年々減少し、購読者に対してしか届かない折込チラシは大量配布のメリットを失いつつあるのに対し、ダイレクトメールはターゲットを絞り込んだ訴求ができるため、効果的な広告・販売活動が実現できる。
【先行技術文献】
【特許文献】
【０００５】
【特許文献１】特開２００７−２６１７２６号公報
【発明の概要】
【発明が解決しようとする課題】
【０００６】
事務所等で使用する小型卓上紙折機では、Ａ３、Ｂ４サイズで二つ折り、四つ折り、三つ折り等の平行折りはできるが、これをダイレクトメール等の長形封筒に入れるためには、もう一度、直角方向に三つ折りしなくてはならない。
このため、事務用紙折機でダイレクトメール折りをするには一度平行折りした用紙を、再度事務用紙折機に直角方向に積み直して給紙し、三つ折りしなければならなかった。このように折った用紙を直角方向に給紙するのは難しく、安定性もないので、不安定な給紙をオペレータがカバーして、ダイレクトメール折りを行っている。
【０００７】
また、上記のようなダイレクトメール折りを行う場合、事務用の卓上紙折機に別の卓上の紙折機を接続すれば、ダイレクトメール折りが可能となるが、現状の機構では、ダイレクトメール折り方向が一定になり、折り面が反対になっているものも多く、これを克服するには、排紙方向が逆方向か、下方に排紙しなければならず、機械が大きくなりコストがかかるという問題が生じる。
【０００８】
本発明は、上記の問題に鑑みてなされたもので、従来の小型卓上紙折機に接続するだけで、簡単にダイレクトメール折りや十字折りができ、また、平行折りにも切り替えることが可能なクロス折機を提供することを目的とする。
【課題を解決するための手段】
【０００９】
請求項１に係る発明のクロス折機は、上下のベルトよりなる用紙搬送機構と、用紙の給紙を検知する検知素子と、ナイフ折り機構と、バックル折り機構、及び、上記の各機構を制御する制御部とを備え、上記検知素子が用紙の給紙を検知すると、上記制御部が、上記ナイフ折り機構の動作を制御することを特徴とする。
【００１０】
また、請求項２に係る発明のクロス折機は、請求項１のクロス折機において、ナイフ折り機構が用紙ストッパとナイフと折りローラよりなるとともに、バックル折り機構がバックルと折りローラよりなり、上記用紙搬送機構により搬送される用紙がナイフ折り機構の用紙ストッパによって停止し、上記検知素子が用紙の給紙を検知すると、上記制御部が、上記ナイフ折り機構の折りナイフを突き上げて、用紙を折りローラに咬み込ませ十字に一回目の折りを形成した後、バックル内に搬送された用紙がバックルストッパによって停止され、用紙のタワミ部分が折りローラで咬み込まれて、三つ折りになるように２回目の折りが形成されることを特徴とする。
【００１１】
また、請求項３に係る発明のクロス折機は、請求項１または請求項２のクロス折機において、上記バックルのバックルストッパの位置が変更可能であり、用紙の搬入位置を変更するとともに、上記バックルストッパを上記バックルの用紙入口位置に移動することにより、用紙を上記バックルに搬送せずに排出し、二つ折りだけの十字折りができることを特徴とする。
さらに、請求項４に係る発明のクロス折機は、請求項１〜請求項３のいずれかのクロス折機において、上記ナイフ折り機構の用紙ストッパが解除でき、この用紙ストッパを解除することにより、ナイフ折りをせずにそのまま用紙を通過させて排出できることを特徴とする。
【発明の効果】
【００１２】
請求項１に係る発明のクロス折機によれば、前段の卓上紙折機で折られた用紙を排紙口でそのまま受け取り、上下のベルトで挟んで搬送するとともに、用紙の給紙を検知する検知素子が用紙の給紙を検知すると、制御部がナイフ折り機構の動作を制御して三つ折りを実行させるので、前段の小型卓上紙折機と電気的な接続を行うことなく、卓上の同じ床面で、簡単に前段の小型卓上紙折機に接続することができるとともに、用紙をゆがまずに搬送できるので、精度の良い折りを実行することができる。
【００１３】
また、折った用紙を直角方向に再度折る場合、折り目側には骨があるため、折り時に用紙が不安定になるが、請求項２に係る発明のクロス折機によれば、折った用紙をはじめにナイフ折り機構でナイフ折りするので、折った用紙を直角方向に再度折る場合に、安定した折りを実行することができる。
【００１４】
さらに、請求項３に係る発明のクロス折機によれば、用紙搬入位置を変更するとともに、バックルのバックルストッパをバックルの用紙入口位置に移動し、用紙をバックルに搬送せずに排出することにより、二つ折だけの十字折りを実行させることができ、小型卓上紙折機に接続することにより、ワンパスで十字折りができ、手間が省け、処理時間を短縮することができる。
【００１５】
また、請求項４に係る発明のクロス折機によれば、ナイフ折り機構のナイフ部のストッパを解除できるので、このストッパを解除すれば、ナイフ折りをせずにそのまま用紙を通過させて排出することができ、装置を外さずに、前段の小型卓上紙折機により折られた用紙をそのまま通過させることができる。
【図面の簡単な説明】
【００１６】
【図１】本発明のクロス折機を小型卓上紙折機に接続した状態を示す図である。
【図２】クロス折機の用紙折り機構の詳細を示す図である。
【図３】クロス折機の制御機構を示す図である。
【図４】クロス折機における作用を示すフローチャートである。
【図５】クロス折機によりナイフ折りを実行している状態を示す図である。
【図６】クロス折機によりバックル折りを実行している状態を示す図である。
【図７】ダイレクトメール折りした用紙を排出している状態を示す図である。
【図８】用紙をダイレクトメール折りした状態を示す図である。
【実施例】
【００１７】
以下、本発明のクロス折機を小型卓上紙折機に接続した実施例について説明する。
図１において、１は小型卓上紙折機であり、２はクロス折機である。小型卓上紙折機１は、給紙台１１、用紙に折形を付与するバックル１２、折りローラ１３等により構成されている。
また、２は本発明のクロス折機であり、２１は小型卓上紙折機１で二つ折りされ、排出された用紙をクロス折機２に搬入する入紙ベルト、２２は搬入された用紙を送る用紙送りベルト、２３は用紙送りベルト２２で送られてくる用紙を止める用紙ストッパ、２４は用紙が送られてきたことを検知する用紙センサである。また、２５は折りナイフ、２６は折りローラ、２７は用紙に折形を付与するバックル、２８はクロス折りされた用紙を排出する排紙ベルトである。
【００１８】
図２は上記のクロス折機の用紙折部の詳細を示す図であり、折りローラ２６は、図に示すように、第１折りローラ３１、第２折りローラ３２、第３折りローラ３３、第４折りローラ３４及び第５折りローラ３５により構成されている。また、３６はバックルストッパであり、バックルストッパ位置調整摘み３７を回転させることによりバックル２７の長手方向に沿って移動する。このバックルストッパ３６の位置は、用紙サイズや折形の形状に応じて適宜選定することができる。
【００１９】
一方、図３は、クロス折機２の制御機構を示す図であり、制御部４１には用紙センサ２４からの信号が入力され、この制御部４１は入紙ベルト２１等のベルトを駆動するベルト駆動機構４２、折りローラ２６の回転を駆動するローラ駆動機構４３、及び、折りナイフ２５を駆動する折りナイフ駆動機構４４を制御する。
【００２０】
次に、クロス折機２でダイレクトメール折りを実行する場合の作用について、図４のフローチャートにより説明する。この場合、クロス折機２は小型卓上紙折機１に対して二つ折りされた用紙の右端から３分の１の位置に折りナイフ２５が当たるように位置を設定する。
なお、小型卓上紙折機１による用紙の二つ折りの作用は通常と同様のバックル折りであるので、詳細な説明は省略する。
【００２１】
クロス折機２の電源が投入されると、制御部４１は、図４のフローチャートに示すプログラムを開始し、ベルト駆動機構４２を制御して入紙ベルト２１、用紙送りベルト２２、排紙ベルト２８の移動を開始する（ステップ１０１）とともに、ローラ駆動機構４３を制御して折りローラ２６の回転を開始した（ステップ１０２）後、用紙センサ２４が用紙を検出したか否かを判定する（ステップ１０３）。
【００２２】
用紙センサ２４が用紙を検出していないと判定した場合、制御部４１は、クロス折機２の電源がオフされたか否かを判定し（ステップ１０４）、クロス折機２の電源がオフされたと判定した場合、ベルト駆動機構４２、ローラ駆動機構４３を制御してベルト移動及びローラ回転を停止した（ステップ１０５）後、プログラムを終了する。また、ステップ１０４でクロス折機２の電源がオフされていないと判定した場合、制御部４１は、ステップ１０３に戻って、再び用紙センサ２４が用紙を検出したか否かを判定する。
【００２３】
そして、小型卓上紙折機１で二つ折りされた用紙がクロス折機２に搬入され、入紙ベルト２１、用紙送りベルト２２により用紙が用紙ストッパ２３の位置まで搬送されて、用紙センサ２４が用紙を検知すると、制御部４１は、折りナイフ駆動機構４４を制御して、図５に示すように折りナイフ２５を上昇させた後、復帰させる（ステップ１０６）。
これにより、図６に示すように、用紙３は第１折りロ−ラ３１と第２折りロ−ラ３２、及び、第３折りローラ３３と第４折りローラ３４の間で挟まれて１回目の折り目が付与された後、先端がバックル２７の内部に引き込まれる。そして、バックルストッパ３６の位置で折り込まれた用紙３の先端が停止する。
【００２４】
用紙３の折り込まれた先端がバックルストッパ３６の位置で停止しても、第３折りロ−ラ３３と第４折りロ−ラ３４が図示矢印の方向に回転しているので、用紙３は引き続き第３折りロ−ラ３３と第４折りロ−ラ３４間を上昇する。
しかしながら、用紙３の先端がバックルストッパ３６の位置で停止しているので、用紙３にはたるみが生じる。このたるみの部分が第４折りロ−ラ３４と第５折りロ−ラ３５の間に引き込まれ、２回目の折り目が付与される。すなわち、第４折りロ−ラ３４と第５折りロ−ラ３５の間では、元の用紙３の６倍の厚みで折形が付与される。
【００２５】
１回目の折り目と、２回目の折り目が付与されて、図８に示す六つ折りの折形が付与された用紙３は、図７に示すように、排紙ベルト２８で搬送され、排出トレイ（図示せず）に集積される。
【００２６】
三つ折りでなく、二つ折りだけの十字折りを行う場合には、ナイフ折り位置が二つ折りされた用紙の中心位置になるように、クロス折機２の位置を小型卓上紙折機１に対して移動させるとともに、用紙をバックル２７に搬送せずに排紙することにより十字折りが可能となる。
すなわち、この場合には、バックル２７は使用しないので、バックルストッパ３６をバックル２７の入り口の位置に移動しておく。
【００２７】
この状態で、用紙センサ２４が用紙を検知し、折りナイフ２５が第１折りロ−ラ３１と第２折りロ−ラ３２の間で上昇されると、用紙３は第１折りロ−ラ３１と第２折りロ−ラ３２、及び、第３折りロ−ラ３３と第４折りロ−ラ３４の間で挟まれて折り目が付与されるが、用紙３の折り込まれた先端は、バックルストッパ３６で阻まれてバックル２７には進入しない。
このため、用紙３の先端は第４折りロ−ラ３４と第５折りロ−ラ３５
の間に引き込まれ、更に折り目が付与されながら排紙ベルト２８で搬送され、排出トレイに集積される。このようにして、二つ折りされた用紙３にはさらに二つ折りの折形が付与され、十字折りを行うことができる。
【００２８】
また、用紙ストッパ２３は位置を調整できるとともに、取り外すこともでき、この用紙ストッパ２３を取り外してストッパを解除することにより、このクロス折機２を外さずに小型卓上紙折機１で平行折りされた用紙をそのまま通過させ排出させることができる。
なお、第１折りロ−ラ３１と第２折りロ−ラ３２の間隔、第３折りロ−ラ３３と第４折りロ−ラ３４の間隔、及び、第４折りロ−ラ３４と第５折りロ−ラ３５の間隔は変更可能であり、用紙の厚み、折り形の形状に応じて間隔を調整することができる。
【００２９】
上記のように、用紙の給紙を検知する用紙センサ２４を備え、この用紙センサ２４が用紙の給紙を検知すると、制御部４１が、ナイフ折り機構とバックル折り機構の動作を制御して三つ折りを実行させるので、前段の小型卓上紙折機１と電気的な接続を行うことなく、簡単に前段の小型卓上紙折機１に接続することができる。また、前段の小型卓上紙折機１から排出された用紙を入紙ベルト２１と用紙送りベルト２２で挟んで搬送するので、卓上の同じ床面で、簡単に前段の小型卓上紙折機１に接続することができるとともに、ゆがまずに用紙を搬送でき、精度の良い折りを実行することができる。
また、折った用紙を直角方向に再度折る場合、折り目側には骨があるため、折り時に用紙が不安定になるが、折った用紙に対して初めに折りナイフ２５によってナイフ折りが実行されるので、小型卓上紙折機１で折った用紙を直角方向に再度折る場合に、安定した折りを実行することができる。
【００３０】
また、上記のように小型卓上紙折機１に対するクロス折機２の位置を変更し、ナイフ折り位置を変更するとともに、用紙をバックル２７に搬送せずに排出することにより、二つ折だけの十字折りを実行させることができ、前段の小型卓上紙折機１に接続することにより、ワンパスで十字折りができ、手間が省け、処理時間を短縮することができる。
また、用紙ストッパ２３を解除すれば、ナイフ折りをせずにそのまま用紙を通過させて排出することができ、装置を外さずに、小型卓上紙折機１からの排紙用紙をそのまま通過させることも可能である。
【００３１】
なお、上記の実施例では、用紙ストッパ２３を取り外してストッパを解除することにより、このクロス折機２を外さずに小型卓上紙折機１で平行折りされた用紙をそのまま通過させ排出させるようにしたが、用紙ストッパ２３が回転できるようにし、用紙ストッパ２３を回転させてストッパを解除できるようにすることも可能である。
【符号の説明】
【００３２】
１  小型卓上紙折機
１１  給紙台
１２  バックル
１３  折りローラ
２  クロス折機
２１  入紙ベルト
２２  用紙送りベルト
２３  用紙ストッパ
２４  用紙センサ
２５  折りナイフ
２６  折りローラ
２７  バックル
２８  排紙ベルト
３１  第１折りローラ
３２  第２折りローラ
３３  第３折りローラ
３４  第４折りローラ
３５  第５折りローラ
３６  バックルストッパ
３７  バックルストッパ位置調整摘み
４１  制御部
４２  ベルト駆動機構
４３  ローラ駆動機構
４４  折りナイフ駆動機構
【図１】
2013071806.tif 000003
【図２】
2013071806.tif 000004
【図３】
2013071806.tif 000005
【図４】
2013071806.tif 000006
【図５】
2013071806.tif 000007
【図６】
2013071806.tif 000008
【図７】
2013071806.tif 000009
【図８】
2013071806.tif 000010